(57)【要約】      （修正有）【課題】携帯性に優れ、手を汚すことなく、手軽に且つ衛生的に食品を食することができる食品携帯容器を提供する。【解決手段】両端に開口する中空部に固形状の食品を詰め込むことによって成型して成型食品にする筒状の容器本体２と、容器本体２の一端の開口部２ａに着脱可能に構成され、装着時に当該容器本体２に収納された成型食品を当該容器本体２の他端の開口部２ｂから押し出すことが可能な押出装置３と、開口部２ｂに着脱可能に構成され、装着時に当該開口部２ｂを閉塞することが可能な蓋体４とを備える。さらに、押出装置３は、開口部２ａから中空部に挿入可能に構成された軸部３１と、開口部２ａから中空部に回り止めされた状態で設置可能に構成され、設置時に軸部３１の回転によって中空部において軸部３１の軸線方向に移動可能に構成された押出体３２と、軸部３１を回転させるためのハンドル３３と、を備える。【選択図】図３
0003176503.tif 000002
【実用新案登録請求の範囲】
【請求項１】
固形状の食品を詰め込むことによって成型して成型食品にすると共に、当該成型食品を収納したまま持ち運び可能な食品携帯容器であって、
両端に開口する中空部を有し、当該中空部に固形状の食品を詰め込むことによって成型して成型食品にする筒状の容器本体と、
前記容器本体の一端に着脱可能に構成され、装着時に当該容器本体に収納された前記成型食品を当該容器本体の他端の開口から押し出すことが可能な押出手段と、
前記容器本体の他端に着脱可能に構成され、装着時に当該他端の開口を閉塞することが可能な蓋体と、を有し、
前記押出手段は、
前記容器本体の前記一端の開口から前記中空部に挿入可能に構成された送りねじと、
前記容器本体の前記一端の開口から前記中空部に回り止めされた状態で設置可能に構成され、設置時に前記送りねじの回転によって前記中空部において前記送りねじの軸線方向に移動可能に構成された押出体と、
前記送りねじを回転させるための回転操作部と、を備える
ことを特徴とする食品携帯容器。
【請求項２】
前記容器本体が、前記両端を結ぶ方向に沿って半筒状に分割可能であることを特徴とする請求項１に記載の食品携帯容器。
【請求項３】
前記容器本体の前記中空部における内周面に複数の突起を有する皺部を設けたことを特徴とする請求項１又は２に記載の食品携帯容器。
【請求項４】
前記容器本体の外周面に脚部を設けたことを特徴とする請求項１〜３のいずれか一項に記載の食品携帯容器。
【請求項５】
前記脚部が他の容器本体における脚部と係合可能であり、前記容器本体は当該脚部を介して前記他の容器本体と連結可能であることを特徴とする請求項４に記載の食品携帯容器。
【請求項６】
前記蓋体が、収容部を備えることを特徴とする請求項１〜５のいずれか一項に記載の食品携帯容器。
【請求項７】
前記容器本体の前記中空部における前記内周面には、前記両端を結ぶ方向に沿ってリブが設けられ、
前記容器本体の前記中空部における前記内周面と対峙する前記押出体の外周面には、前記両端を結ぶ方向に沿った係合溝が設けられ、
前記押出体は、前記係合溝を前記リブに係合させることで、当該リブに沿って前記容器本体の前記中空部を前記両端を結ぶ方向に移動する
ことを特徴とする請求項１〜６のいずれか一項に記載の食品携帯容器。
【請求項８】
前記押出手段の前記回転操作部が、前記送りねじを回転操作するためのハンドルで構成されることを特徴とする請求項１〜７のいずれか一項に記載の食品携帯容器。
【請求項９】
前記ハンドルは、
前記容器本体の前記一端に着脱可能に構成され、装着時に前記送りねじの一端側を貫通させる貫通孔が略中心部に設けられると共に、当該貫通孔以外の部分において前記容器本体の前記一端の開口を閉塞することが可能な取付部と、
前記取付部の前記貫通孔を貫通した前記送りねじの一端側と着脱可能に嵌合され、装着時に当該送りねじを回転操作することが可能なハンドル本体と、を備える
ことを特徴とする請求項８に記載の食品携帯容器。
【考案の詳細な説明】
【技術分野】
【０００１】
本考案は、食品携帯容器に関するもので、さらに詳しくは、おにぎりや調理パンなどの成型食品を持ち運び可能な食品携帯容器に係るものである。
【背景技術】
【０００２】
近年、例えばランチタイムに外食することに替えて、持参した弁当により昼食を済ませる傾向があり、自ら手作りする弁当への関心が急速に高まってきている。弁当としては、従来から、米飯やパン（サンドイッチ等の調理パンを含む）等の主食となる食品や、惣菜（おかず）等の副食となる食品を、弁当箱に入れたり、ラップ等に包んだりして持ち運ぶことが一般的である。
ここで、主食となる食品を手軽に（場合によっては手短に）食べることを目的として、固形状の食品（例えば、米飯やパン等）をおにぎりや調理パン等の形に成型して弁当とした場合、これらおにぎりや調理パン等は直接手に持って食することが一般的である。この場合、食品を直接手に持って食するために、食前や食後において汚れた手を清潔にしたいという衛生面における要望がある。ところが、このような衛生面の要望を満たそうとする場合、汚れた手を拭いたり洗ったりしなければならない煩わしさがあるため、食品を手軽に食べるという本来の目的が満たされず、本末転倒である。このため、おにぎりや調理パン等の主食の食品を、手を汚すことなく手軽に且つ衛生的に食するという要望がかねてからあった。
【０００３】
ところで、食品を手を汚すことなく手軽に且つ衛生的に食する容器の一例として、例えば、ジュース等の飲み物（液体状の食品）を入れて凍らせることにより、アイスキャンディーを作ることができる円筒状の容器が知られている（例えば、特許文献１）。
かかる特許文献１の容器は、円筒状の容器本体と、当該容器本体の長手方向における一方の端部に取り付けられるハンドルと、当該ハンドルに係合され且つ容器本体内に挿通された状態で配設され、螺旋状にガイド突起が設けられた長尺な雄ねじ状の押出棒と、当該押出棒に螺合され、容器本体内を押出棒の長手方向にガイド突起に沿って移動可能な押出板と、容器本体の他方の端部に取り付けられるキャップと、を備えて構成されている。
そして、この容器では、容器本体内にジュース等の飲み物を入れて凍らせることによりアイスキャンディーを作ることができる。また、できあがったアイスキャンディーは、容器本体の一方の端部に設けられたハンドルを回転させることによって、押出板が容器本体内をガイド突起に沿って押出棒の長手方向に移動することにより、所謂リップクリームの要領で容器本体の他方の端部から押し出されるようになっている。従って、容器本体からアイスキャンディーを必要な分だけ押し出しながら食することができるので、アイスキャンディーを手を汚すことなく、手軽に且つ衛生的に食することができる。
【先行技術文献】
【特許文献】
【０００４】
【特許文献１】米国特許第７，０７４，４５２号明細書
【考案の概要】
【考案が解決しようとする課題】
【０００５】
ここで、本考案者達は、仮に特許文献１の容器において、ジュース等の飲み物（液体状の食品）に替えて米飯等の主食となる食品（固形状の食品）を容器本体内に詰め込み、当該容器本体内で成型しておにぎり等を作るようにした場合、成型されたおにぎりを上述した要領で容器本体から押し出すことができ、手を汚すことなく、手軽にかつ衛生的に食することができると考えた。
【０００６】
ところが、かかる特許文献１の容器は、容器本体に対して取り付けられる押出棒と押出板とが一体であると共に容器本体から分解することができず、また容器本体も円筒状に成形されており分割できない構造になっている。
このため、ジュース等の飲み物のように液体状の食品を使ってアイスキャンディーを作る場合であれば、容器本体内への食品の充填（詰め込み）が容易で、成型も冷凍するのみなので簡単に行える。また、使用後において容器本体内や押出棒および押出板が汚れたとしても、細部に亘って洗浄することができる。
しかしながら、米飯等のように固形状の食品を特許文献１のように押出棒と押出板とが一体となった容器に詰め込んで（充填して）おにぎり等を成型しようとした場合、以下のような問題点が容易に推測できる。
すなわち、かかる特許文献１の容器では、他方の端部における開口から容器本体内へ米飯等を詰め込み難く、食品間（この場合、米飯間）の間隙が多くなり、おにぎりを成型しづらい（換言すれば、成型食品を成型するのが困難である）点。また、成型後に他方の端部の開口から押し出されるおにぎりの米飯の一部が容器本体内や押出棒または押出板にこびり付く点。
従って、かかる特許文献１の容器のように、容器本体に対して取り付けられる押出棒と押出板とが一体であると共に容器本体から分解することができず、また容器本体も円筒状に成形されており分割できない構造では、使用後の汚れた容器本体内や押出棒および押出板を細部に亘って洗浄することが困難であり、煩雑な作業となる問題があった。
しかも、これら容器本体内や押出棒および押出板を、細部に亘って洗浄することは困難で煩雑な作業となることから、当該洗浄が不十分である場合、米飯が容器本体内や押出棒または押出板にこびり付いたままの状態で残ってしまう虞があるため不衛生である。
【０００７】
そこで、本考案は、以上のような事情に鑑みてなされたものであり、携帯性に優れ、手を汚すことなく、手軽に且つ衛生的に食品を食することができる食品携帯容器を提供することを目的とする。
【課題を解決するための手段】
【０００８】
上記課題を解決するために、請求項１に記載の考案は、固形状の食品を詰め込むことによって成型して成型食品にすると共に、当該成型食品を収納したまま持ち運び可能な食品携帯容器であって、
両端に開口する中空部を有し、当該中空部に固形状の食品を詰め込むことによって成型して成型食品にする筒状の容器本体と、
前記容器本体の一端に着脱可能に構成され、装着時に当該容器本体に収納された前記成型食品を当該容器本体の他端の開口から押し出すことが可能な押出手段と、
前記容器本体の他端に着脱可能に構成され、装着時に当該他端の開口を閉塞することが可能な蓋体と、を有し、
前記押出手段は、
前記容器本体の前記一端の開口から前記中空部に挿入可能に構成された送りねじと、
前記容器本体の前記一端の開口から前記中空部に回り止めされた状態で設置可能に構成され、設置時に前記送りねじの回転によって前記中空部において前記送りねじの軸線方向に移動可能に構成された押出体と、
前記送りねじを回転させるための回転操作部と、を備えることを特徴とする。
【０００９】
請求項２に記載の考案は、請求項１に記載の食品携帯容器において、前記容器本体が、前記両端を結ぶ方向に沿って半筒状に分割可能であることを特徴とする。
【００１０】
請求項３に記載の考案は、請求項１又は２に記載の食品携帯容器において、前記容器本体の前記中空部における内周面に複数の突起を有する皺部を設けたことを特徴とする。
【００１１】
請求項４に記載の考案は、請求項１〜３のいずれか一項に記載の食品携帯容器において、前記容器本体の外周面に脚部を設けたことを特徴とする。
【００１２】
請求項５に記載の考案は、請求項４に記載の食品携帯容器において、前記脚部が他の容器本体における脚部と係合可能であり、前記容器本体は当該脚部を介して前記他の容器本体と連結可能であることを特徴とする。
【００１３】
請求項６に記載の考案は、請求項１〜５のいずれか一項に記載の食品携帯容器において、前記蓋体が、収容部を備えることを特徴とする。
【００１４】
請求項７に記載の考案は、請求項１〜６のいずれか一項に記載の食品携帯容器において、
前記容器本体の前記中空部における前記内周面には、前記両端を結ぶ方向に沿ってリブが設けられ、
前記容器本体の前記中空部における前記内周面と対峙する前記押出体の外周面には、前記両端を結ぶ方向に沿った係合溝が設けられ、
前記押出体は、前記係合溝を前記リブに係合させることで、当該リブに沿って前記容器本体の前記中空部を前記両端を結ぶ方向に移動することを特徴とする。
【００１５】
請求項８に記載の考案は、請求項１〜７のいずれか一項に記載の食品携帯容器において、前記押出手段の前記回転操作部が、前記送りねじを回転操作するためのハンドルで構成されることを特徴とする。
【００１６】
請求項９に記載の考案は、請求項８に記載の食品携帯容器において、
前記ハンドルは、
前記容器本体の前記一端に着脱可能に構成され、装着時に前記送りねじの一端側を貫通させる貫通孔が略中心部に設けられると共に、当該貫通孔以外の部分において前記容器本体の前記一端の開口を閉塞することが可能な取付部と、
前記取付部の前記貫通孔を貫通した前記送りねじの一端側と着脱可能に嵌合され、装着時に当該送りねじを回転操作することが可能なハンドル本体と、を備えることを特徴とする。
【考案の効果】
【００１７】
本考案によれば、容器本体は両端に開口する中空部を有し、当該中空部に固形状の食品を詰め込むことによって成型して成型食品にすることができると共に、当該成型食品を収納したまま持ち運ぶことができるので、食品の携帯性に優れている。また、容器本体の一端に着脱可能に構成される押出手段を装着することによって、当該容器本体に収納された成型食品を当該容器本体の他端の開口から押し出すことが可能なので、当該成型食品を手を汚すことなく手軽に食することができる。さらに、容器本体に対して押出手段が着脱可能であるので、使用後に容器本体から押出手段を取り外し、隅々まで容易に洗浄することができる。このとき、容器本体と押出手段とを個々に洗浄できるので、細部に亘って行き届いた洗浄を簡単且つ確実に行うことができる。
かくして、携帯性に優れ、手を汚すことなく、手軽に且つ衛生的に食品を食することができる食品携帯容器を提供することができる。
【００１８】
しかも、本考案によれば、容器本体が、両端を結ぶ方向（長手方向）に沿って半筒状に分割可能であるため、食品を詰め込む際の詰め込み性を向上させる（食品を盛り付けし易くする）ことができる。また、使用後における容器本体の洗浄をより簡単に且つ確実に隅々まで（細部に亘り）行うことができ、一段と清潔に保つことができる（衛生面の向上が期待できる）。
【００１９】
また、本考案によれば、容器本体の中空部における内周面に複数の突起を有する皺部を設けたことにより、詰め込んだ食品を付着し難くすることができる。従って、使用後において容器本体内や押出手段に食品がこびり付くことを未然に回避することができ、隅々まで行き届いた細部に亘る洗浄を一段と簡単に行うことができる。
【００２０】
また、本考案によれば、容器本体の外周面に脚部を設けたことにより、当該食品携帯容器を容器本体の両端を結ぶ方向（長手方向）が水平となる状態（すなわち、横向きの状態）に置いた場合に、安定した状態で置くことができると共に、例えば、容器本体が円筒形状等の場合に生じ易い転がりを未然に防止できる。また、例えば、容器本体が上記半筒状に分割可能である場合、容器本体を開いた状態で安定して置くことができ、食品の詰め込み（盛り付け）を容易にできるほか、当該容器本体を食器代わりに使用することも可能となる。
【００２１】
しかも、本考案によれば、脚部が他の容器本体における脚部と係合可能であり、容器本体は当該脚部を介して他の容器本体と連結可能であるため、複数の食品携帯容器を持ち運ぶ際に持ち運びし易く優れた携帯性を発揮できると共に、ファッション性にも富んだ食品携帯容器を実現できる。
【００２２】
さらに、本考案によれば、蓋体が、収容部を備えるので、当該収容部にトッピング具材（ふりかけ、調味料等）や、香物等を収容して持ち運ぶことができる。よって、容器本体の中空部に収納した成型食品を食する際のバリエーションを豊富にすることができる。
【００２３】
さらに、本考案によれば、容器本体の中空部における内周面には、容器本体の両端を結ぶ方向（長手方向）に沿ったリブが設けられると共に、容器本体の中空部における内周面と対峙する押出体の外周面には、容器本体の両端を結ぶ方向（長手方向）に沿った係合溝が設けられているので、容器本体に対する押出体の位置決めを容易に行うことができる。そして、押出体は、係合溝をリブに係合させることで、当該リブに沿って容器本体の中空部（内部）を容器本体の両端を結ぶ方向（長手方向）に移動するので、当該押出体が容器本体の内部にて送りねじの回転に伴って当該送りねじと一緒に回動したり、長手方向に移動しながらずれを生じたりすることを防止できる。
【００２４】
さらに、本考案によれば、押出手段の回転操作部が、送りねじを回転操作するためのハンドルで構成されるので、当該送りねじを回転させる際に操作し易くすることができ、このような回転操作の操作性を向上させることができる。
【００２５】
さらに、本考案によれば、ハンドルは、容器本体の一端に着脱可能に構成され、装着時に送りねじの一端側を貫通させる貫通孔が略中心部に設けられると共に、当該貫通孔以外の部分において容器本体の一端の開口を閉塞することが可能な取付部と、取付部の貫通孔を貫通した送りねじの一端側と着脱可能に嵌合され、装着時に当該送りねじを回転操作することが可能なハンドル本体と、を備えるため、容器本体の一端に装着される取付部の貫通孔に送りねじを貫通させることで、当該送りねじを容器本体の中空部に対して略中心に位置させる所謂センター出しを行い易くすることができる。これにより、押出体を容器本体の中空部に対して両端を結ぶ方向（長手方向）にずれることなく移動させることができる。しかも、ハンドルは容器本体に取り付けられる取付部と、ハンドル本体との２つの部材（部品）で構成され、且つ、分割可能であるため、使用後の洗浄において、細部に亘り洗浄することができる。
【図面の簡単な説明】
【００２６】
【図１】本考案の一実施形態に係る食品携帯容器を示した分解斜視図である。
【図２】図１の食品携帯容器における容器本体を開口部側から見て示す概略図である。
【図３】図１の食品携帯容器を使用する際の説明に供する斜視図である。
【図４】図１の食品携帯容器を使用する際の説明に供する斜視図である。
【図５】図１の食品携帯容器を連結する際の説明に供する要部斜視図である。
【図６】図１の食品携帯容器の要部を拡大して示す断面図である。
【図７】図１の食品携帯容器を連結する際の説明に供する斜視図である。
【図８】図１の食品携帯容器を連結した様子を示す斜視図である。
【図９】図１の食品携帯容器の要部を拡大して示す斜視図である。
【図１０】図１の食品携帯容器を使用する際の説明に供する斜視図である。
【考案を実施するための形態】
【００２７】
以下、本考案の一実施形態について、図面を参照して説明する。
図１は、本考案の一実施形態に係る食品携帯容器１を示した分解斜視図であり、図２は、図１の食品携帯容器１における容器本体２を一端の開口部２ａ側から見て示す概略図であり、図３および図４は、図１の食品携帯容器１を使用する際の説明に供する斜視図である。
【００２８】
＜食品携帯容器１の構成＞
図１に示すように、本実施形態の食品携帯容器１は、両端に開口する中空部を有し、当該中空部に固形状の食品（例えば、米飯や食パン等のパン類）を詰め込むことによって成型して成型食品（例えば、おにぎりや調理パン）にする筒状の容器本体２と、容器本体２の一端（開口部２ａ）に着脱可能に構成され、装着時に当該容器本体２に収納された成型食品を当該容器本体２の他端の開口（開口部２ｂ）から押し出すことが可能な押出手段としての押出装置３と、容器本体２の他端（開口部２ｂ）に着脱可能に構成され、装着時に当該他端の開口（開口部２ｂ）を閉塞することが可能な蓋体４と、を備えており、固形状の食品を詰め込むことによって成型して成型食品にすると共に、当該成型食品を収納したまま持ち運び可能に構成されている。
【００２９】
（容器本体２）
具体的に、容器本体２は、図１および図２に示すように、両端を結ぶ方向（以下、これを長手方向と称する）に沿って半筒状（この場合、半円筒状）に分割された第１半筒部材２１および第２半筒部材２２と、これら第１半筒部材２１および第２半筒部材２２を係止するための留め具２３と、を有している。すなわち、容器本体２は、半筒状に分割可能な構造となっている。
【００３０】
第１半筒部材２１は、長手方向に沿った一方の側端部に当該長手方向へ延在する係合軸２１ａが固定部２１ｂを介して設けられ、他方の側端部に留め具２３と係合される係合部２１ｃが長手方向に延設されている。また、第１半筒部材２１は、中空部の内周面に多数の突起からなる皺部２１ｄを備えると共に、内周側に向けて突出したリブ２１ｅが長手方向に延在して設けられている。さらに、第１半筒部材２１は、外周面における上述した両端の開口部２ａ、２ｂ近傍に、それぞれ長手方向と直交する方向に向けて延在する脚部２４，２４が一体に設けられている。なお、この脚部２４，２４は、第１半筒部材２１と一体に成形しても良いし、別体に形成したものを一体的に成形しても良い。
【００３１】
第２半筒部材２２は、長手方向に沿った一方の側端部に留め具２３によって係止される係止部２２ａが外周方向に突設された状態で長手方向に延在し、他方の側端部に第１半筒部材２１の係合軸２１ａと回動自在に係合する係合部２２ｂが長手方向へ延在して設けられている。また、第２半筒部材２２は、内周面に多数の突起からなる皺部２２ｃを備えると共に、内周側に向けて突出したリブ２２ｄが長手方向に延在して設けられている。さらに、外周面における上述した両端の開口部２ａ、２ｂ近傍に、それぞれ長手方向と直交する方向に向けて延在する脚部２５，２５が設けられている。なお、この脚部２５，２５は、第２半筒部材２２と一体に成形しても良いし、別体に形成したものを一体的に成形しても良い。
【００３２】
留め具２３は、所謂フラップ状の形状をなしており、長手方向における一方の端部に第１半筒部材２１の係合部２１ｃと係合される係合軸２３ａが当該長手方向に延在して設けられている。また、留め具２３は、他方の端部に設けられる把持部２３ｂと、一方の端部の係合軸２３ａとの間に設けられた空間において、当該係合軸２３ａと第１半筒部材２１の係合部２１ｃとの係合後に形成される隙間部２３ｃに、第２半筒部材２２の係止部２２ａを挿入させて係止するようになっている。このとき、留め具２３の把持部２３ｂから隙間部２３ｃに向かって突出した突出部２３ｄが、第２半筒部材２２の係止部２２ａに対して係止するようになっている。
【００３３】
すなわち、容器本体２は、第１半筒部材２１の係合軸２１ａに対して第２半筒部材２２の係合部２２ｂが回動自在に係合され（図３参照）、第１半筒部材２１の係合軸２１ａを支点に第２半筒部材２２を回転させ、これら第１および第２半筒部材２１，２２を内周面が内側で対峙するように向かい合わせて組み合わせた後、さらに第１半筒部材２１の係合部２１ｃに回動自在に係合された留め具２３によって、第２半筒部材２２の係止部２２ａを係止することで、略円形の筒状（円筒状）を成すようになっている（図４参照）。
【００３４】
しかも、この場合、容器本体２は、第１半筒部材２１および第２半筒部材２２の外周面における上述した両端の開口部２ａ、２ｂ近傍に、それぞれ脚部２４，２４および２５，２５が配設されている。このため、上述したような第１半筒部材２１と第２半筒部材２２とを開いた状態で置く場合（図２参照）、これら第１および第２半筒部材２１，２２が脚部２４，２４および２５，２５によって、長手方向と直交する方向に支持されるため、当該開いた状態で安定して置くことができる（安定して開いた状態を保持される）ようになっている。従って、食品（例えば、米飯や食パン等のパン類）の詰め込み（盛り付け）を容易にできるほか、当該容器本体２を食器代わりに使用することも可能となる利点を備えている。
さらに、詳細は後述するが、脚部２４，２５は、それぞれ対応する脚部２５，２４と結合（合体）することが可能となっている（図５〜図７参照）。これにより、複数の食品携帯容器１，１が連結可能となっている（図８参照）。
【００３５】
（押出装置３）
押出装置３は、図１、図３および図４に示すように、容器本体２の一端の開口部２ａから中空部に挿入可能に構成された送りねじとしての軸部３１と、容器本体２の一端の開口部２ａから中空部に回り止めされた状態で設置可能に構成され、設置時に軸部３１の回転によって中空部において軸部３１の軸線方向に移動可能に構成された押出体３２と、軸部３１を回転させるための回転操作部であるハンドル３３と、を備えて構成されている。
また、押出装置３は、容器本体２の一端の開口部２ａに対して、当該容器本体２の中空部において成型食品を成型した後に装着されることが望ましい。
【００３６】
（軸部３１）
軸部３１は、この場合、一端側が容器本体２の開口部２ａから突出した状態で配設され、他端側が容器本体２の中空部を挿通して他方の開口部２ｂに向けて延設されると共に、長手方向に沿って螺旋状に案内部３１ａが設けられている。案内部３１ａは、軸部３１において、ハンドル３３と着脱自在に嵌合される一端側を除き、他端側に向かってほぼ全体に亘り、螺旋状（スクリュー状）に突出して形成されている。
【００３７】
（押出体３２）
押出体３２は、略円盤状の部材からなり、その平面における略中央部に軸部３１の案内部３１ａと螺合されるネジ孔３２ａが、当該押出体３２の表裏を貫通して設けられている。また、押出体３２の外周面には、容器本体２（第１半筒部材２１，第２半筒部材２２）の内周面に突設されたリブ２１ｅ，２２ｄに対応して、長手方向に沿った係合溝３２ｂが複数刻設されている。
【００３８】
（ハンドル３３）
ハンドル３３は、略円形の容器本体２側に開口を有する蓋状の取付部３４と、略円筒状の容器本体２側とは反対となる側に開口を有するハンドル本体３５と、を備えて構成される。具体的に、取付部３４は、開口側が容器本体２の一端の開口部２ａに着脱可能に構成され、装着時に軸部３１の一端側を貫通させる貫通孔３４ａが略中心部に設けられると共に、当該貫通孔３４ａ以外の部分において容器本体２の一端の開口部２ａを閉塞することが可能となっている。ハンドル本体３５は、開口側とは反対側の端部を取付部３４と対峙させるように当接させ、略中心部に表裏を貫通して穿設される嵌合孔３５ａに対して、取付部３４の貫通孔３４ａを貫通した軸部３１の一端側が着脱可能に嵌合される。このとき、取付部３４とハンドル本体３５との間には隙間が形成されていても良い。このように、ハンドル３３は、取付部３４とハンドル本体３５との分割可能な２つの部材（部品）により構成され、装着時に当該軸部３１を回転操作することが可能となっている。
そして、このような構成の軸部３１、押出体３２およびハンドル３３を有する押出装置３は、軸部３１の一端側が取付部３４の貫通孔３４ａを介してハンドル本体３５の嵌合孔３５ａに嵌合され、軸部３１の他端側から案内部３１ａに対して押出体３２が、ネジ孔３２ａを螺合させることで取り付けられることで組み付けられる。
なお、ここでは、押出装置３が、上述したように、軸部３１と、押出体３２と、ハンドル３３とに分解（分割）可能であり、さらに、ハンドル３３は、取付部３４と、ハンドル本体３５とに、分解（分割）可能な構成である場合について述べたが、一例であってこれに限ることはない。すなわち、押出装置３は、容器本体２に対して着脱可能であれば、それ自体が分解（分割）できなくても良い。但し、分解可能な構成であれば、使用後等により細部に亘って洗浄することが可能となる利点を備えることができる。
【００３９】
そして、このように組み付けられた押出装置３は、容器本体２の一端の開口部２ａに対して、当該容器本体２の中空部において成型食品を成型した後に装着され、ハンドル本体３５の回転操作により、軸部３１を所定方向（この場合、時計回り）に回転させることに伴い、当該軸部３１に螺合された押出体３２がネジ孔３２ａに対して案内部３１ａが回動されることによって長手方向における他方の開口部２ｂ側へ移動される。従って、容器本体２の中空部に収納された成型食品は、上述したハンドル本体３５の回転操作に伴って移動される押出体３２によって他端の開口部２ｂから押し出されるようになっている。
【００４０】
また、押出装置３は、容器本体２の一端（開口部２ａ）に装着される取付部３４の貫通孔３４ａに軸部３１を貫通させることで、当該軸部３１を容器本体２の中空部に対して略中心に位置させる所謂センター出しを行い易くすることができるようになっている。これにより、押出体３２を容器本体２の中空部に対して長手方向にずれることなく移動させることができる利点を備えている。
しかも、ハンドル３３は容器本体２に取り付けられる取付部３４と、ハンドル本体３５との２つの部材（部品）で構成され、且つ、分割可能であるため、使用後の洗浄において、細部に亘り洗浄することができるようになっている。
【００４１】
（蓋体４）
蓋体４は、図１、図３および図４に示すように、略円形で容器本体２側に開口を有する蓋状を成し、容器本体２の一端の開口部２ａに着脱可能に取り付けられる蓋体４１と、他端の開口部２ｂに着脱可能に取り付けられる蓋体４２との２種類に大別される。
一端の開口部２ａに取り付けられる蓋体４１は、上述した押出装置３が取り外された状態において、当該開口部２ａに装着可能であり、装着時には開口部２ａを閉塞することが可能となっている。
他端の開口部２ｂに取り付けられる蓋体４２は、図１の食品携帯容器１の要部（すなわち、蓋体４２）の斜視図である図９に拡大して示すように、当該開口部２ｂに装着可能であると共に、容器本体２の中空部に向けて窪んで形成され、容器本体２とは反対となる側に開口を有する収容部４２ｂと、当該収容部４２ｂの開口を閉塞するためのキャップ４３と、を備えている。蓋体４２のキャップ４３が取り付けられる上方側の周縁部には、長孔状に取付孔４２ａが複数穿設されている。また、キャップ４３の外周縁部には、下方に位置する蓋体４２の取付孔４２ａに対応して、当該取付孔４２ａに向けて鍵状に突出したフック部４３ａが複数突設されている。そして、蓋体４２の取付孔４２ａに対しキャップ４３のフック部４３ａを係合させることにより、当該蓋体４２にキャップ４３が着脱可能に係合され、蓋体４２における収容部４２ｂの開口を閉塞することが可能となっている。
従って、蓋体４２では、収容部４２ｂにトッピング具材（ふりかけ、調味料等）や、香物等を収容して持ち運ぶことができるようになっている。
また、蓋体４（４１，４２）は、容器本体２を開いた状態（すなわち、第１半筒部材２１と第２半筒部材２２とを開いた状態）において、第１半筒部材２１または第２半筒部材２２のいずれか一方における一方の開口部２ａまたは２ｂに仮装着することで、当該蓋体４（４１，４２）を仮装着した第１半筒部材２１または第２半筒部材２２に対して食品（例えば、米飯やパン類）を詰め込み（盛り付け）し易くできる利点を備えている。
【００４２】
（食品携帯容器１の組み立て）
以上のように構成された食品携帯容器１は、以下の手順で組み立てられる。すなわち、図３に示すように、まず容器本体２を組み立てる。具体的には、第１半筒部材２１の係合軸２１ａに対して第２半筒部材２２の係合部２２ｂを回動自在に係合する。このとき、さらに第１半筒部材２１の係合部２１ｃに留め具２３を回動自在に係合する。なお、この留め具２３は、第１および第２半筒部材２１，２２を円筒状に組み合わせた後に、第１半筒部材２１の係合部２１ｃに対して係合するようにしても良い。
そして、図４に示すように、これら第１および第２半筒部材２１，２２を、第１半筒部材２１の係合軸２１ａを支点に回転させ、当該第１および第２半筒部材２１，２２の内周面が内側で対峙するように向かい合わせて組み合わせる。この状態において、第１半筒部材２１の係合部２１ｃに回動自在に係合された留め具２３の隙間部２３ｃに、第２半筒部材２２の係止部２２ａを挿入させ、留め具２３の突出部２３ｄが第２半筒部材２２の係止部２２ａと係止することにより、容器本体２が組み立てられる。
【００４３】
一方、押出装置３は、軸部３１の一端側が取付部３４の貫通孔３４ａを介してハンドル本体３５の嵌合孔３５ａに嵌合され、軸部３１の他端側から案内部３１ａに対して押出体３２が、ネジ孔３２ａを螺合させることで取り付けられることで組み立てられる（図３参照）。
【００４４】
そして、このように組み立てられた容器本体２の一端の開口部２ａに対して、上述のように組み立てられた押出装置３または蓋体４１を装着する。また、容器本体２の他端の開口部２ｂに対して、蓋体４２がキャップ４３を取り付けた状態で装着されることで、食品携帯容器１が組み立てられ、完成する（図４，図７，図８参照）。
【００４５】
また、食品携帯容器１は、第１および第２半筒部材２１，２２の外周面に設けられた脚部２４，２４および２５，２５を介して連結することが可能となっている。
具体的に、図２、図５、図７に示すように、一方の脚部２４，２４には、一端側が開口したスライド溝２４ａ，２４ａが設けられている。このスライド溝２４ａ，２４ａは、脚部２４，２４の延在方向に沿って、一対の脚部２４，２４が対峙する側（すなわち、内周側）の側部に設けられている。また、各スライド溝２４ａ，２４ａには、それぞれ凹部２４ｂ，２４ｂが設けられている。
他方の脚部２５，２５には、脚部２５，２５の延在方向に沿った両端が開口したスライド溝２５ａ，２５ａが設けられている。このスライド溝２５ａ，２５ａは、脚部２５，２５の延在方向に沿って、一対の脚部２５，２５が対峙する側とは反対（すなわち、外周側）の側部に設けられている。また、各スライド溝２５ａ，２５ａには、それぞれ凸部２５ｂ，２５ｂが設けられている。
そして、これら脚部２４，２４のスライド溝２４ａ，２４ａと、脚部２５，２５のスライド溝２５ａ，２５ａとは、図６、図８に示すように、係合可能となっている。また、スライド溝２４ａ，２４ａに対してスライド移動しながら係合されるスライド溝２５ａ，２５ａは、スライド溝２４ａ，２４ａの凹部２４ｂ，２４ｂと、スライド溝２５ａ，２５ａの凸部２５ｂ，２５ｂと、が嵌合することによって、当該スライド溝２４ａ，２４ａに対して施解錠自在にロックされるようになっている。
このようにして、食品携帯容器１は、他の食品携帯容器１，１と脚部２４，２４および２５，２５を介して適宜、連結（合体）可能な構造となっている。従って、食品携帯容器１は、上述したように他の食品携帯容器１，１と連結（合体）することにより、複数の食品携帯容器１，１，１を持ち運ぶ際に持ち運びし易く、優れた携帯性を発揮することができるようになっている。また、外観的にもファッション性に富んだデザインを実現することができるようになっている。
【００４６】
＜食品携帯容器１の使用例＞
ここで、改めて、上述した構成の食品携帯容器１の使用例について、図３、図４、図７、図８および図１０を用いて説明する。
図７は、図１の食品携帯容器１を連結する際の説明に供する要部斜視図であり、図８は、図１の食品携帯容器１を連結した様子を示す斜視図である。また、図１０は、図１の食品携帯容器１を使用する際の説明に供する斜視図である。
【００４７】
以下、本実施形態の食品携帯容器１において、例えば、固形状の食品の一例として海苔および米飯を容器本体２の中空部に詰め込んでおにぎりを成型し、この成型食品Ｓであるおにぎり（図１０参照）を容器本体２の中空部に収納したまま持ち運ぶ（携帯する）場合について説明する。なお、本使用例は一例であってこれに限られず、例えば、食品は固形状のものであれば、この他、種々の食品を適用でき、成型食品としては錦糸卵および酢飯を用いた手巻き寿司や、食パン等のパン類を用いた調理パン等を広く適用することができる。このとき、固形状の食品は、容器本体２の中空部に詰め込むことによって成型し易いものが望ましく、具体的には粘度を有することが好ましい。
【００４８】
図３に示すように、まず、容器本体２において、第１および第２半筒部材２１，２２を係合して開いた状態にする。この状態において、不図示の海苔および米飯を第１および第２半筒部材２１，２２の少なくとも一方の内周面上に順次詰め込む（盛り付ける）。
このとき、食品携帯容器１には、脚部２４，２４および２５，２５が設けられているので、例えば、容器本体２を上述したように、半筒状（第１半筒部材２１と第２半筒部材２２と）に分割して開いた場合、当該開いた状態の第１半筒部材２１および第２半筒部材２２を安定して置くことができ、海苔や米飯の詰め込み（盛り付け）を容易にできる上、当該容器本体２を食器代わりに使用することも可能となる。
また、容器本体２に対して押出装置３が着脱可能であり、この時点では装着されていないため、食品を第１および第２半筒部材２１，２２の内周面上に詰め込む際に、押出装置３の軸部３１等が邪魔になることを未然に回避することができる。従って、例えば、第１および第２半筒部材２１，２２の内周面上に盛り付けた米飯の上に更に具材を盛り付け、成型するおにぎりの中心部付近に具材が詰め込まれた巻き寿司状のおにぎりを成型することも容易である。
【００４９】
次に、海苔および米飯を盛り付けた第１および第２半筒部材２１，２２を、係合部２２ｂが回動自在に係合された係合軸２１ａ（図１参照）を支点として回動させ、これら第１および第２半筒部材２１，２２を内周面が内側で対峙するように向かい合わせて組み合わせた後、第１半筒部材２１の係合部２１ｃに回動自在に係合された留め具２３によって、第２半筒部材２２の係止部２２ａを係止することで、図４に示すような略円形の筒状（円筒状）を成す容器本体２を組み上げる。これにより、容器本体２の中空部において海苔に周囲を覆われた状態で米飯が押圧され、成型食品Ｓとしてのおにぎり（図１０参照）が成型される。
【００５０】
そして、一端および他端の開口部２ａ，２ｂに対して蓋体４１，４２を装着することで内部の中空部に成型食品Ｓであるおにぎり（図１０参照）が収納された食品携帯容器１（図７、図８参照）が持ち運び（携帯）可能な状態となる。従って、食品携帯容器１は、容器本体２の中空部に海苔および米飯を詰め込むことによって成型食品Ｓであるおにぎりを成型することができると共に、当該おにぎりを収納したまま持ち運ぶことができるので、食品の携帯性に優れている。
なお、このとき、一端の開口部２ａに対し、蓋体４１ではなく、押出装置３が装着されていても良い。この場合、容器本体２の中空部において、おにぎりが成型された後に押出装置３が装着されることで、蓋体４１が装着されている場合には、別途、押出装置３を持ち運ばなければならない手間を省くことができ、より一段と携帯性を向上し得る利点を有している。
また、一端の開口部２ａに対して押出装置３を装着する（挿入する）場合に、他端の開口部２ｂを蓋体４２で閉塞しておくことにより、押出装置３の軸部３１に当接する部分の食品が前記他端の開口部２ｂから飛び出すことを防止することができる。
【００５１】
また、このような食品携帯容器１は、上述したように、外周面に設けられた脚部２４，２４および２５，２５を介して他の食品携帯容器１，１，１と適宜、連結（合体）可能となっている（図７、図８参照）。従って、複数の食品携帯容器１，１，１を持ち運ぶ際に持ち運びし易く、優れた携帯性を発揮することができる。また、外観的にもファッション性に富んだデザインを実現することができる。
しかも、食品携帯容器１は、かかる脚部２４，２４および２５，２５を有しているので、他の食品携帯容器１，１と連結しない状態においても、食品携帯容器１を容器本体２の両端（開口部２ａと開口部２ｂと）を結ぶ方向（長手方向）が水平となる状態（すなわち、横向きの状態）に置いた場合に、安定した状態で置くことができ、例えば、容器本体２が本実施形態のように、円筒形状の場合において生じ易い転がりを未然に防止できる。
【００５２】
そして、このような食品携帯容器１では、図１０に示すように、他端の開口部２ｂから蓋体４２（図７，図８参照）を取り外し、一端の開口部２ａに装着された押出装置３のハンドル本体３５を時計回りに回転操作することにより、容器本体２の内部の中空部に収納された成型食品Ｓであるおにぎりが、押出体３２（図３参照）によって他端の開口部２ｂから押し出される。
従って、食品携帯容器１によれば、容器本体２の一端の開口部２ａに着脱可能に構成される押出装置３を装着することによって、当該容器本体２に収納されたおにぎりを、他端の開口部２ｂから押し出すことが可能なので、収納したおにぎりを手を汚すことなく手軽に食することができる。
しかも、食品携帯容器１では、容器本体２に対して押出装置３が着脱可能であるので、使用後に容器本体２から押出装置３を取り外し、隅々まで容易に洗浄することができる。このとき、容器本体２と押出装置３とを個々に洗浄できるので、細部に亘って行き届いた洗浄を簡単且つ確実に行うことができる。
【００５３】
以上、説明したように、本実施形態の食品携帯容器１によれば、容器本体２は両端に開口する中空部を有し、当該中空部に固形状の食品（例えば、米飯や食パン等のパン類）を詰め込むことによって成型食品（例えば、おにぎりや調理パン）を容易に成型することができる（換言すれば、固形状の食品の成型が容易である）と共に、当該成型食品を収納したまま持ち運ぶことができるので、食品の携帯性に優れている。また、容器本体２の一端（開口部２ａ）に着脱可能に構成される押出装置３を装着することによって、当該容器本体２に収納された成型食品を当該容器本体２の他端の開口部２ｂから押し出すことが可能なので、当該成型食品を手を汚すことなく手軽に食することができる。さらに、容器本体２に対して押出装置３が着脱可能であるので、使用後に容器本体２から押出装置３を取り外し、隅々まで容易に洗浄することができる。このとき、容器本体２と押出装置３とを個々に洗浄できるので、細部に亘って行き届いた洗浄を簡単且つ確実に行うことができる。
かくして、携帯性に優れ、手を汚すことなく、手軽に且つ衛生的に食品を食することができる食品携帯容器１を提供することができる。
【００５４】
しかも、本考案によれば、容器本体２が、両端（開口部２ａと開口部２ｂと）を結ぶ方向（長手方向）に沿って半筒状（第１半筒部材２１と第２半筒部材２２と）に分割可能であるため、食品（例えば、米飯や食パン等のパン類）を詰め込む際の詰め込み性を向上させる（食品を盛り付けし易くする）ことができる。また、使用後における容器本体２の洗浄をより簡単に且つ確実に隅々まで（細部に亘り）行うことができ、一段と清潔に保つことができる（衛生面の向上が期待できる）。
【００５５】
また、本考案によれば、容器本体２（第１半筒部材２１，第２半筒部材２２）の中空部における内周面に複数の突起を有する皺部２１ｄ，２２ｃを設けたことにより、詰め込んだ食品（例えば、米飯や食パン等のパン類）を付着し難くすることができる。従って、使用後において容器本体２内（すなわち、中空部における内周面）や押出装置３に食品（例えば、米飯や食パン等のパン類）がこびり付くことを未然に回避することができ、隅々まで行き届いた細部に亘る洗浄を一段と簡単に行うことができる。
【００５６】
また、本考案によれば、容器本体２（第１半筒部材２１，第２半筒部材２２）の外周面に脚部２４，２４および２５，２５を設けたことにより、当該食品携帯容器１を容器本体２の両端（開口部２ａと開口部２ｂと）を結ぶ方向（長手方向）が水平となる状態（すなわち、横向きの状態）に置いた場合に、安定した状態で置くことができると共に、例えば、容器本体２が円筒形状等の場合に生じ易い転がりを未然に防止できる。また、例えば、容器本体２が上記半筒状（第１半筒部材２１と第２半筒部材２２と）に分割可能である場合、容器本体２（第１半筒部材２１，第２半筒部材２２）を開いた状態で安定して置くことができ、食品（例えば、米飯や食パン等のパン類）の詰め込み（盛り付け）を容易にできるほか、当該容器本体２を食器代わりに使用することも可能となる。
【００５７】
しかも、本考案によれば、容器本体２（第１半筒部材２１，第２半筒部材２２）の脚部２４，２４および２５，２５が他の容器本体２（第２半筒部材２２，第１半筒部材２１）における脚部２５，２５および２４，２４と係合可能であり、容器本体２は当該脚部２４，２４および２５，２５を介して他の容器本体２と連結可能であるため、複数の食品携帯容器１，１，１を持ち運ぶ際に持ち運びし易く、優れた携帯性を発揮することができると共に、外観的にもファッション性に富んだデザインの食品携帯容器１を実現できる。
【００５８】
さらに、本考案によれば、蓋体４が、収容部４２ｂを備えるので、当該収容部４２ｂにトッピング具材（ふりかけ、調味料等）や、香物等を収容して持ち運ぶことができる。よって、容器本体２の中空部に収納した成型食品を食する際のバリエーションを豊富にすることができる。
【００５９】
さらに、本考案によれば、容器本体２（第１半筒部材２１，第２半筒部材２２）の中空部における内周面には、容器本体２の両端（開口部２ａと開口部２ｂと）を結ぶ方向（長手方向）に沿ったリブ２１ｅ，２２ｄが設けられると共に、容器本体２の中空部における内周面と対峙する押出体３２の外周面には、容器本体２の両端を結ぶ方向（長手方向）に沿った係合溝３２ｂが設けられているので、容器本体２に対する押出体３２の位置決めを容易に行うことができる。そして、押出体３２は、係合溝３２ｂをリブ２１ｅ，２２ｄに係合させることで、当該リブ２１ｅ，２２ｄに沿って容器本体２の中空部（内部）を容器本体２の両端を結ぶ方向（長手方向）に移動するので、当該押出体３２が容器本体２の内部にて軸部３１の回転に伴って当該軸部３１と一緒に回動したり、長手方向に移動しながらずれを生じたりすることを防止できる。
【００６０】
さらに、本考案によれば、押出装置３の回転操作部が、軸部３１を回転操作するためのハンドル３３で構成されるので、当該軸部３１を回転させる際に操作し易くすることができ、このような回転操作の操作性を向上させることができる。
【００６１】
さらに、本考案によれば、ハンドル３３は、容器本体２の一端（開口部２ａ）に着脱可能に構成され、装着時に軸部３１の一端側を貫通させる貫通孔３４ａが略中心部に設けられると共に、当該貫通孔３４ａ以外の部分において容器本体２の一端の開口部２ａを閉塞することが可能な取付部３４と、取付部３４の貫通孔３４ａを貫通した軸部３１の一端側と着脱可能に嵌合され、装着時に当該軸部３１を回転操作することが可能なハンドル本体３５と、を備えるため、容器本体２の一端（開口部２ａ）に装着される取付部３４の貫通孔３４ａに軸部３１を貫通させることで、当該軸部３１を容器本体２の中空部に対して略中心に位置させる所謂センター出しを行い易くすることができる。これにより、押出体３２を容器本体２の中空部に対して両端（開口部２ａと開口部２ｂと）を結ぶ方向（長手方向）にずれることなく移動させることができる。しかも、ハンドル３３は容器本体２に取り付けられる取付部３４と、ハンドル本体３５との２つの部材（部品）で構成され、且つ、分割可能であるため、使用後の洗浄において、細部に亘り洗浄することができる。
【００６２】
なお、本考案は上述した実施形態に限定して解釈されるべきではなく、適宜変更・改良が可能であることはもちろんである。
例えば、上述した実施形態においては、食品携帯容器１の容器本体２が円筒状の形状を成して形成される場合について述べたが、一例であってこれに限らず、容器本体は、筒状の形状を成すものであって、分割可能な形状であれば、この他種々の形状を広く適用することができる。この場合、分割される態様も長手方向への分割態様に限ることはなく、要は食材を収納し易く、使用後に洗浄し易い分割態様であれば良い。
【００６３】
また、上述した実施形態においては、第１および第２半筒部材２１，２２の外周面における両端の開口部２ａ、２ｂ近傍に、それぞれ両端を結ぶ長手方向と直交する方向に向けて延在する脚部２４，２４および２５，２５を一体に設けた場合について述べたが、本発明はこれに限らず、脚部は、容器本体２の両端を結ぶ長手方向に沿って設けるようにしても良い。
【産業上の利用可能性】
【００６４】
本考案は、固形状の食品を詰め込むことによって成型して成型食品にすると共に、当該成型食品を収納したまま持ち運び可能な食品携帯容器の分野で特に利用することができる。
【符号の説明】
【００６５】
１…食品携帯容器
２…容器本体
２ａ，２ｂ…開口部
２１…第１筒部材
２１ａ…係合軸
２１ｂ…固定部
２１ｃ…係合部
２１ｄ…皺部
２１ｅ…リブ
２１ｆ…脚部
２２…際２筒部材
２２ａ…係止部
２２ｂ…係合部
２２ｃ…皺部
２２ｄ…リブ
２２ｅ…脚部
２３…留め具
２３ａ…係合軸
２３ｂ…把持部
２３ｃ…隙間部
２３ｄ…突出部
２４，２５…脚部
３…押出装置（押出手段）
３１…軸部（送りねじ）
３２…押出体
３２ａ…ネジ孔
３３…ハンドル（回転操作部）
３４…取付部
３４ａ…貫通孔
３５…ハンドル本体
３５ａ…嵌合孔
４，４１，４２…蓋体
４２ｂ…収容部
４３…キャップ
Ｓ…成型食品
【図１】
0003176503.tif 000003
【図２】
0003176503.tif 000004
【図３】
0003176503.tif 000005
【図４】
0003176503.tif 000006
【図５】
0003176503.tif 000007
【図６】
0003176503.tif 000008
【図７】
0003176503.tif 000009
【図８】
0003176503.tif 000010
【図９】
0003176503.tif 000011
【図１０】
0003176503.tif 000012